(57)【特許請求の範囲】
【請求項１】
浴槽に浸かっている入浴者の心電信号を検出する、浴槽内に設置された電極と、
この電極によって検出された入浴者の前記心電信号に対して所定の処理を行うことで、入浴者の心電情報を作成する心電信号処理装置と、
この心電信号処理装置によって作成された入浴者の前記心電情報を報知する報知装置と
を備えた心電情報報知システムにおいて、
前記心電信号処理装置は、前記電極によって検出された前記心電信号の信号レベルを監視し、
入浴者が前記浴槽に浸かり始めた時点からの前記信号レベルの低下量に基づいて、前記浴槽に貯留された湯水の導電率の上昇量を演算し、この導電率の上昇量から前記浴槽に浸かっている入浴者の発汗量を算出し、
算出された前記発汗量を、前記報知装置を介して、入浴者に報知するようにしたことを特徴とする心電情報報知システム。
【請求項２】
浴槽に浸かっている入浴者の心電信号を検出する、浴槽内に設置された電極と、
この電極によって検出された入浴者の前記心電信号に対して所定の処理を行うことで、入浴者の心電情報を作成する心電信号処理装置と、
この心電信号処理装置によって作成された入浴者の前記心電情報を報知する報知装置と
を備えた心電情報報知システムにおいて、
前記心電信号処理装置は、前記電極によって検出された前記心電信号の信号レベルを監視し、
入浴者が前記浴槽に浸かり始めた時点からの前記信号レベルの低下量に基づいて、前記浴槽に貯留された湯水の導電率の上昇量を演算し、この導電率の上昇量から前記浴槽に浸かっている入浴者の発汗量を算出し、
算出された前記発汗量が予め定められた規定量を上回った時点で、浴槽からの退出を促す旨を、前記報知装置を介して、入浴者に報知するようにしたことを特徴とする心電情報報知システム。
【請求項３】
算出された前記発汗量が予め定められた規定量を上回った時点で、前記発汗量に代えて、または、前記発汗量と共に、浴槽からの退出を促す旨を、前記報知装置を介して、入浴者に報知するようにした請求項１に記載の心電情報報知システム。
【発明の詳細な説明】
【０００１】
【発明の属する技術分野】
この発明は、浴槽に浸かっている入浴者の心電情報を入浴者等に報知するための心電情報報知システムに関する。
【０００２】
【従来の技術】
例えば、特開平５−９５９２１号公報に開示されているように、浴槽に浸かっている入浴者の心拍数等の心電情報を入浴者等に報知する心電情報報知システムが従来から提案されている。
【０００３】
この心電情報報知システムは、図３に示すように、浴槽Ｂに浸かっている入浴者の心電信号を検知するために浴槽Ｂ内に設置される電極５１と、この電極５１によって検出された入浴者の心電信号に基づいて、心拍数等の心電情報を作成するＣＰＵ等からなる心電情報作成部やこの心電情報作成部によって作成された心電情報を表示する表示部等を備えた、浴室内に設置される本体部５２とから構成されており、浴槽Ｂに浸かった入浴者が、本体部５２のスイッチをＯＮすることによって、心拍数等の入浴者自身の心電情報が本体部５２の表示部に連続的に表示されるようになっている。従って、入浴者は、本体部５２に表示される心電情報に基づいて、自己の心臓の状態変化を把握することができる。
【０００４】
【発明が解決しようとする課題】
ところで、上述したような心電情報報知システム５０では、心電情報として浴槽Ｂに浸かっている入浴者の心拍数等が表示されるので、浴槽Ｂに浸かっている入浴者は、自己の心拍数の変化に基づいて、浴槽から上がるタイミングを判断することになるが、入浴中は発汗が促進され、多量の水分が汗として体外に放出されることになるので、入浴者が浴槽Ｂから上がる適切なタイミングは、必ずしも、心拍数等の心電情報だけによって決定されるものではなく、入浴者の発汗量等も重要な判断材料となる。従って、この種の心電情報報知システムでは、入浴者の心電情報だけでなく、発汗情報を併せて報知することが望まれている。
【０００５】
しかしながら、浴槽に浸かっている入浴者の発汗情報を報知するためには、まず、その前提として、浴槽に浸かっている入浴者の発汗量を測定しなければならず、そのためには、発汗に伴って変動する浴槽内の湯水の導電率を測定する導電率センサ等を浴槽に別途設置しなければならないので、システム全体がコスト高になるという問題がある。
【０００６】
そこで、この発明の課題は、入浴者の発汗量を測定するセンサ等を別途設けることなく、入浴者の発汗情報を効率よく報知することができる心電情報報知システムを提供することにある。
【０００７】
【課題を解決するための手段及びその効果】
上記の課題を解決するため、請求項１にかかる発明は、浴槽に浸かっている入浴者の心電信号を検出する、浴槽内に設置された電極と、この電極によって検出された入浴者の前記心電信号に対して所定の処理を行うことで、入浴者の心電情報を作成する心電信号処理装置と、この心電信号処理装置によって作成された入浴者の前記心電情報を報知する報知装置とを備えた心電情報報知システムにおいて、前記心電信号処理装置は、前記電極によって検出された前記心電信号の信号レベルを監視し、入浴者が前記浴槽に浸かり始めた時点からの前記信号レベルの低下量に基づいて、前記浴槽に貯留された湯水の導電率の上昇量を演算し、この導電率の上昇量から前記浴槽に浸かっている入浴者の発汗量を算出し、算出された前記発汗量を、前記報知装置を介して、入浴者に報知するようにしたのである。
【０００８】
以上のように、この心電情報報知システムでは、心電信号の信号レベルの低下量に基づいて入浴者の発汗量を算出し、この発汗量を、入浴者の心電情報と共に入浴者に報知するようになっているので、入浴者は、自己の心電情報だけでなく、発汗量をも考慮して浴槽から出るタイミングを多面的に決定することができると共に、入浴後に水分を摂取する際、入浴者は適正な水分摂取量を概ね知ることができる。
【０００９】
また、浴槽に貯留された湯水を介して検出される心電信号の信号レベルは、浴槽に貯留された湯水の導電率が大きくなると低下する傾向にあり、浴槽に浸かっている入浴者の発汗に伴って浴槽に貯留されている湯水の導電率が大きくなるので、心電信号の信号レベルの低下量から入浴者の発汗量を算出することができる。従って、この心電情報報知システムのように、電極によって検出された入浴者の心電信号の信号レベルを監視することによって、浴槽に貯留された湯水の導電率を測定するための導電率センサ等を別途設けることなく、浴槽に貯留された湯水の導電率の上昇量を求めることができ、かかる導電率の上昇量から、入浴者の発汗量を簡単に求めることができる。
【００１０】
また、請求項２にかかる発明の心電情報報知システムのように、浴槽に浸かっている入浴者の心電信号を検出する、浴槽内に設置された電極と、この電極によって検出された入浴者の前記心電信号に対して所定の処理を行うことで、入浴者の心電情報を作成する心電信号処理装置と、この心電信号処理装置によって作成された入浴者の前記心電情報を報知する報知装置とを備えた心電情報報知システムにおいて、前記心電信号処理装置は、前記電極によって検出された前記心電信号の信号レベルを監視し、入浴者が前記浴槽に浸かり始めた時点からの前記信号レベルの低下量に基づいて、前記浴槽に貯留された湯水の導電率の上昇量を演算し、この導電率の上昇量から前記浴槽に浸かっている入浴者の発汗量を算出し、算出された前記発汗量が予め定められた規定量を上回った時点で、浴槽からの退出を促す旨を、前記報知装置を介して、入浴者に報知するようにしておくと、発汗に関する知識に乏しい入浴者であっても、浴槽から上がる適切なタイミングを直接的に把握することができるという効果が得られる。
【００１１】
また、請求項３にかかる発明のように、請求項１にかかる発明の心電情報報知システムにおいて、算出された前記発汗量が予め定められた規定量を上回った時点で、前記発汗量に代えて、または、前記発汗量と共に、浴槽からの退出を促す旨を、前記報知装置を介して、入浴者に報知するようにしてもよい。
【００１２】
【発明の実施の形態】
以下、実施の形態について図面を参照して説明する。図１に示すように、この心電情報報知システム１は、浴室Ｒ内に設置された浴槽Ｂに対する自動注湯機能や追焚機能の他、シャワーやカラン等への給湯機能を備えた風呂追焚機能付給湯器（以下、風呂給湯器という）１０と、この風呂給湯器１０を操作するための操作手段として、浴室Ｒ及び台所に設置される浴室用操作リモコン２０ａ及び台所用操作リモコン２０ｂと、浴槽Ｂに浸かっている入浴者の心電信号を検出するために浴槽Ｂ内に設置される心拍検出電極３１、３２、３３と、これらの心拍検出電極３１、３２、３３がそれぞれ接続され、心拍検出電極３１、３２、３３によって検出された心電信号に基づいて、入浴者の心電情報や発汗情報を作成する心電信号処理装置４０とを備えており、浴室用操作リモコン２０ａ及び台所用操作リモコン２０ｂが、心電情報や発汗情報を報知するための報知装置として機能するようになっている。なお、心電信号処理装置４０と浴室用操作リモコン２０ａ及び台所用操作リモコン２０ｂとが、風呂給湯器１０の端子台を介して、直流電圧に信号を重畳して伝送する２芯線によって接続されている。
【００１３】
前記風呂給湯器１０、前記浴室用操作リモコン２０ａ及び台所用操作リモコン２０ｂには、通信手段であるシリアルインターフェースを介して相互に通信可能なコントローラ１１、２１ａ、２１ｂがそれぞれ搭載されており、これらのコントローラ１１、２１ａ、２１ｂが相互に連携をとりながら、風呂給湯器１０の運転動作を統括的に制御している。
【００１４】
また、浴室用操作リモコン２０ａ及び台所用操作リモコン２０ｂは、風呂設定温度、給湯設定温度等の風呂給湯器関連情報の他、入浴者の心拍数等の心電情報や発汗量等の発汗情報等を表示する表示部２２ａ、２２ｂをそれぞれ備えており、これらの表示部２２ａ、２２ｂには、風呂給湯器関連情報または心電・発汗情報のいずれを表示させるのかを切り替える（選択する）ための報知モード切替（選択）用のメニュースイッチ（図示せず）が表示されるようになっている。
【００１５】
一対の心拍検出電極３１、３２は、浴槽Ｂに浸かった入浴者の心臓を挟むように、浴槽Ｂにおける一端側の左右両側壁に、残りの心拍検出電極（中性点）３３は、浴槽Ｂに浸かった入浴者の足元側（他端側）における浴槽Ｂの側壁にそれぞれ設置されており、各心拍検出電極３１、３２、３３は、浴槽Ｂに貯留された湯水を介して入浴者の心電信号が検出されるように、所定の高さ位置に設置されている。
【００１６】
前記心電信号処理装置４０は、通信手段であるシリアルインターフェースを介して、浴室用操作リモコン２０ａや台所用操作リモコン２０ｂに通信可能に接続されており、この心電信号処理装置４０によって算出された、１分間当りの心拍数や発汗量が、所定の時間間隔（例えば、２秒間隔）で浴室用操作リモコン２０ａや台所用操作リモコン２０ｂのコントローラ２１ａ、２１ｂに送信されるようになっている。
【００１７】
この心電信号処理装置４０は、図２に示すように、心拍検出電極３１、３２、３３がそれぞれ接続され、心拍検出電極３１、３２、３３によって検出された心電信号から周波数の高いインパルスノイズを除去する第１フィルタ回路４１と、この第１フィルタ回路４１によってノイズが除去された心電信号を増幅する差動増幅回路４２と、この差動増幅回路４２によって増幅された心電信号から電源周波数以上のノイズを除去する第２フィルタ回路４３と、この第２フィルタ回路４３によってノイズが除去された心電信号を再度増幅する増幅回路４４と、この増幅回路４４によって増幅された心電信号が入力されるマイクロコンピュータ４５とを備えており、このマイクロコンピュータ４５が、入力された心電信号に基づいて１分間当りの心拍数及び発汗量を算出し、この心拍数や発汗量をシリアルインターフェース（Ｉ／Ｆ）４６を介して浴室用操作リモコン２０ａや台所用操作リモコン２０ｂのコントローラ２１ａ、２１ｂに送信するようになっている。
【００１８】
前記マイクロコンピュータ４５は、浴槽Ｂに浸かった入浴者の適正な心電信号を安定した状態で検出することができるようになると、入力された心電信号に基づいて、２秒間隔毎に心拍周期を求め、この心拍周期から、１分間当りの心拍数を２秒毎に算出するようになっている。
【００１９】
また、浴槽Ｂに貯留された湯水を介して検出される心電信号の信号レベルは、浴槽Ｂに貯留された湯水の導電率が大きくなると低下する傾向にあり、浴槽Ｂに浸かっている入浴者の発汗に伴って浴槽Ｂに貯留されている湯水の導電率が大きくなるので、マイクロコンピュータ４５は、浴槽Ｂに浸かった入浴者の適正な心電信号を安定した状態で検出することができるようになると、入浴開始時点（入浴者が浴槽Ｂに浸かり始めた時点）における心電信号のピークレベル（信号レベル）を記憶しておき、その後は、心電信号のピークレベルを随時監視することによって、入浴開始時点からのピークレベルの低下量を２秒ごとに算出し、算出したピークレベルの低下量に基づいて、浴槽Ｂに貯留された湯水の導電率の上昇量を演算し、この導電率の上昇量から浴槽Ｂに浸かっている入浴者の発汗量を算出するようになっている。
【００２０】
以上のように構成された心電情報報知システム１では、浴室用操作リモコン２０ａまたは台所用操作リモコン２０ｂの運転スイッチをＯＮすると、浴室用操作リモコン２０ａ及び台所用操作リモコン２０ｂの表示部２２ａ、２２ｂに、風呂設定温度や給湯設定温度等の給湯器関連情報が自動的に表示されるが、浴槽Ｂに浸かった入浴者または入浴者以外の家族の人が、浴室用操作リモコン２０ａまたは台所用操作リモコン２０ｂを操作することによって、報知モード切替（選択）用のメニュースイッチを表示させ、このメニュースイッチによって心電・発汗情報の報知モードに切り替えると、浴室用操作リモコン２０ａ及び台所用操作リモコン２０ｂの表示部２２ａ、２２ｂに入浴者の心拍数及び発汗量が表示される。
【００２１】
以上のように、この心電情報報知システム１では、入浴開始時点からの心電信号のピークレベルの低下量に基づいて入浴者の発汗量を算出し、この発汗量を入浴者の心拍数と共に浴室用操作リモコン２０ａ及び台所用操作リモコン２０ｂの表示部２２ａ、２２ｂに表示することで、入浴者に心拍数と発汗量とを報知するようにしたので、入浴者は、自己の心拍数の変化だけでなく、発汗量をも考慮して浴槽から上がるタイミングを多面的に決定することができる。
【００２２】
また、この心電情報報知システム１では、上述したように、心拍検出電極３１、３２、３３によって検出された入浴者の心電信号のピークレベルを監視することによって、入浴開始時点からのピークレベルの低下量を算出し、このピークレベルの低下量に基づいて、入浴者の発汗に伴う浴槽Ｂに貯留された湯水の導電率の上昇量を演算するようにしているので、浴槽Ｂに貯留された湯水の導電率を測定するための導電率センサ等を別途設ける必要がなく、入浴者の発汗量を低コストで簡単に求めることができる。
【００２３】
また、この心電情報報知システム１では、上述したように、入浴者の発汗情報として、発汗量を報知するようにしているので、入浴者が浴槽Ｂから上がるタイミングを決定する際の判断材料として利用することができるだけでなく、入浴後に水分を摂取する際、入浴者は報知された発汗量から適正な水分摂取量を概ね知ることができるという効果もある。
【００２４】
なお、上述した実施形態では、入浴者の発汗情報として、発汗量を単に報知するようにしているが、入浴中の発汗量が大きくなると健康上好ましくないので、例えば、発汗量に代えて、入浴者の発汗量が予め定められた規定量を上回った時点で、浴槽Ｂからの退出を促す旨を浴室用操作リモコン２０ａ及び台所用操作リモコン２０ｂの表示部２２ａ、２２ｂに表示したり、入浴者の発汗量が予め定められた規定量を上回った時点で、発汗量に代えて、または、発汗量と共に、浴槽Ｂからの退出を促す旨を浴室用操作リモコン２０ａ及び台所用操作リモコン２０ｂの表示部２２ａ、２２ｂに表示したりすることで、入浴者等に報知することも可能であり、このような発汗情報を報知することによって、発汗に関する知識に乏しい入浴者であっても、浴槽Ｂから上がる適切なタイミングを直接的に把握することができるという効果が得られる。
【００２５】
また、上述した実施形態では、入浴者の心電情報として心拍数を報知するようにしているが、これに限定されるものではなく、例えば、心拍数の変動傾向や心電波形等を、心拍数に代えて、または、心拍数と共に浴室用操作リモコン２０ａ及び台所用操作リモコン２０ｂの表示部２２ａ、２２ｂに表示することによって、入浴者に報知するようにしてもよい。
【００２６】
また、上述した実施形態では、心拍数等の心電情報や発汗量等の発汗情報を、浴室用操作リモコン２０ａ及び台所用操作リモコン２０ｂの表示部２２ａ、２２ｂに表示するようにしているが、これに限定されるものではなく、音声等を用いて入浴者等に報知することも可能である。
【００２７】
また、上述した実施形態では、風呂給湯器関連情報と心電・発汗情報とを切り替えて、浴室用操作リモコン２０ａ及び台所用操作リモコン２０ｂの表示部２２ａ、２２ｂに表示させるようになっているが、双方を同時に表示することができるのであれば、あえて、切替表示させる必要はなく、入浴時には双方の情報を同時に表示させればよい。
【００２８】
また、上述した実施形態では、心電・発汗情報を浴室用操作リモコン２０ａ及び台所用操作リモコン２０ｂの双方の表示部２２ａ、２２ｂにそれぞれ表示させるようになっているが、いずれか一方の表示部に表示させることも可能である。
【００２９】
また、上述した実施形態では、風呂給湯器関連情報と心電・発汗情報を、風呂給湯器１０の操作手段である浴室用操作リモコン２０ａ及び台所用操作リモコン２０ｂの表示部２２ａ、２２ｂに表示させるようになっているが、これに限定されるものではなく、専用の表示装置等の報知装置を設けることも可能である。
【図面の簡単な説明】
【図１】この発明にかかる心電情報報知システムの一実施形態を示す概略構成図である。
【図２】同上の心電情報報知システムにおける心電信号処理装置を示すブロック図である。
【図３】従来の心電情報報知システムを示す概略構成図である。
【符号の説明】
１  心電情報報知システム
１０  風呂追焚機能付給湯器
１１  コントローラ
２０ａ  浴室用操作リモコン（報知装置）
２０ｂ  台所用操作リモコン（報知装置）
２１ａ、２１ｂ  コントローラ
２２ａ、２２ｂ  表示部
３１、３２、３３  心拍検出電極（電極）
４０  心電信号処理装置
４５  マイクロコンピュータ
Ｂ  浴槽
Ｒ  浴室
【図１】
0004110787.tif 000002
【図２】
0004110787.tif 000003
【図３】
0004110787.tif 000004